(57)【要約】【課題】記録に用いる記録素子の範囲が、記録媒体中央部の記録よりも先後端部の記録で縮小される場合においても、高品位の画像を出力可能とする。【解決手段】記録媒体の先後端部に対する記録の際に使用される第２マスクを、中央部に対する記録に使用される第１マスクから生成する。詳しくは、第１マスクの記録許容率のデータを適切に抽出してつなぎ合わせた第２マスクを生成することで、記録素子配列方向における記録許容率の分布に急な段差が生じないようにする。これにより、記録素子の範囲が、記録媒体中央部の記録よりも先後端部の記録で縮小される場合においても、記録媒体の先後端部で、中央部と同程度の品位の画像を出力することができる。【選択図】図６
2008296562.tif 000002
【特許請求の範囲】
【請求項１】
記録素子の配列を有する記録ヘッドを前記配列の方向とは異なる方向に記録媒体に対して走査させながら記録を行う記録走査と、該記録走査の方向とは交差する方向への前記記録媒体の搬送とを行うことにより画像を記録するとともに、同一画像領域に対しては相補的な関係にある画素配列に従った複数回の前記記録走査にて記録を実行可能な記録装置であって、
前記記録素子の配列の第１範囲に含まれる記録素子群を使用した第１記録と、前記第１範囲より狭い第２範囲に含まれる記録素子群を使用した第２記録とを設定可能な設定手段と、
前記第１記録を実行する際に前記画素配列を規定するべく適用される第１マスクであって、当該規定を行うため前記配列の方向における記録許容率の分布が一様でない第１マスクを固定的に記憶する記憶手段と、
当該記憶された第１マスクから前記記録許容率のデータを抽出して、前記第２記録を実行する際の前記画素配列を規定するべく適用される第２マスクとする抽出手段と、
を具え、該抽出手段は、前記第２マスクの記録許容率が前記配列の方向に沿って単調に変化するように抽出を行うことを特徴とする記録装置。
【請求項２】
前記第１範囲および前記第２範囲は、前記複数回の前記記録走査に対応した複数の領域に分割され、前記抽出手段は、前記第１範囲の前記複数の分割領域と前記第２範囲の前記複数の分割領域とを対応させて前記抽出を行うとともに、前記第１範囲の分割領域に対応した前記第１マスクの部分から分散して前記記録許容率のデータを抽出することを特徴とする請求項１に記載の記録装置。
【請求項３】
前記設定手段は、前記記録媒体の中央部に対して前記第１記録が行われ、前記記録媒体の先端部および後端部の少なくとも一方に対して前記第２記録が行われるよう設定を行うことを特徴とする請求項１または請求項２に記載の記録装置。
【請求項４】
前記記録ヘッドより前記搬送の方向の上流側に位置して前記記録媒体を搬送する第１搬送手段と、前記記録ヘッドより前記搬送の方向の下流側に位置して前記記録媒体を搬送する第２搬送手段と、をさらに具え
前記設定手段は、前記記録媒体が前記第１搬送手段によってのみ支持されている場合には前記先端部に対する記録と判断し、前記記録媒体が前記第１および第２搬送手段の双方によって支持されている場合には前記中央部に対する記録と判断し、前記記録媒体が前記第２搬送手段によってのみ支持されている場合には前記後端部に対する記録と判断することを特徴とする請求項３に記載の記録装置。
【請求項５】
前記第１範囲および前記第２範囲は、それぞれ、前記記録素子の配列の全範囲および一部の範囲であることを特徴とする請求項１ないし請求項４のいずれかに記載の記録装置。
【請求項６】
前記第１マスクは、前記第１範囲に含まれる記録素子のうち、端部に位置する記録素子の記録許容率が中央部に位置する記録素子の記録許容率よりも低くなるように構成されていることを特徴とする請求項１ないし請求項５のいずれかに記載の記録装置。
【請求項７】
前記記録ヘッドは、インクを吐出するノズルを前記記録素子として有するインクジェット記録ヘッドであることを特徴とする請求項１ないし請求項６のいずれかに記載の記録装置。
【請求項８】
前記抽出によって生成された第２マスクを一時的に格納する格納手段を具えたことを特徴とする請求項１ないし請求項７のいずれかに記載の記録装置。
【請求項９】
前記記憶手段から前記抽出を行う位置を一時的に格納する格納手段を具えたことを特徴とする請求項１ないし請求項７のいずれかに記載の記録装置。
【請求項１０】
記録素子の配列を有する記録ヘッドを前記配列の方向とは異なる方向に記録媒体に対して走査させながら記録を行う記録走査と、該記録走査の方向とは交差する方向への前記記録媒体の搬送とを行うことにより画像を記録するとともに、同一画像領域に対しては相補的な関係にある画素配列に従った複数回の前記記録走査にて記録を実行可能な記録方法であって、
前記記録素子の配列の第１範囲に含まれる記録素子群を使用した第１記録と、前記第１範囲より狭い第２範囲に含まれる記録素子群を使用した第２記録とを設定可能な設定工程と、
前記第１記録を実行する際に前記画素配列を規定するべく適用される第１マスクであって、当該規定を行うため前記配列の方向における記録許容率の分布が一様でない第１マスクを固定的に記憶する記憶手段から、当該記憶された前記第１マスクを読み出して前記第１記録に適用する工程と、
前記第１マスクから前記記録許容率のデータを抽出して、前記第２記録を実行する際の前記画素配列を規定するべく適用される第２マスクとする抽出工程と、
を具え、該抽出工程は、前記第２マスクの記録許容率が前記配列の方向に沿って単調に変化するように抽出を行うことを特徴とする記録方法。
【発明の詳細な説明】
【技術分野】
【０００１】
本発明は、記録媒体に記録剤（例えばインク）を付与することによって記録を行う記録装置および記録方法に関するものである。
【背景技術】
【０００２】
昨今、パーソナルコンピュータやワードプロセッサ等のＯＡ機器が広く普及しており、これらの機器から出力された情報を多様な記録媒体に記録するための、様々な記録装置が提供されている。特に、インクジェット方式の記録装置は、低騒音、低ランニングコスト、小型な構成、およびカラー化が比較的容易である等、さまざまな優位点を有しており、幅広いユーザ層に受け入れられている。特に最近では、デジタルカメラで撮影した画像を、銀塩写真と同様な品位で出力することへの要求も高まっており、これに応えるための様々な工夫を取り入れた記録方法も実施されている。
【０００３】
例えば、記録媒体の先端部あるいは後端部などの縁部に余白を残さない記録（以下「余白無し記録」）を行うものが製品化され、普及してきている。しかし記録媒体の先端部あるいは後端部においては、記録装置の構成上、記録媒体の搬送精度が低下する傾向にある。そこで、記録媒体の先端部あるいは後端部において特別な記録方法を採用したインクジェット記録装置が既に提供されている。
【０００４】
さらに、写真画質に見合うようなより滑らかな画像を出力するために、「マルチパス記録」という記録方法を採用した記録装置も今や一般的となっている。「マルチパス記録」同一画像領域に対しては相補的な関係にある画素配列を規定するマスクパターンに従った複数回の記録走査にて記録を実行するものである。
【０００５】
以下に、「先後端部記録」および「マルチパス記録」について、その具体的な構成を説明する。
【０００６】
（先後端部への記録について）
一般に、記録媒体の先端部あるいは後端部を記録する際、画像が乱れてしまう傾向がある。これは、記録位置の上流側および下流側で記録媒体を支えてこれを搬送する複数のローラの一部から、記録媒体が外れてしまう状況が生じることが主な原因となっている。以下、このような状態を、図面を用いて詳しく説明する。
【０００７】
図８は、記録媒体の中央部分を記録している状態の、記録ヘッド、記録媒体および当該記録媒体を搬送する搬送機構を模式的に示した図である。図において、搬送方向上流側にある搬送ローラＭ３０６０および下流側にある２つの排出ローラＭ３１００，Ｍ３１１０は、それぞれ、ピンチローラＭ３０７０および２つの拍車Ｍ３１２０，Ｍ３１２０と協働する。すなわち、３組のニップ部を形成して記録媒体Ｐを挟持搬送する。
【０００８】
Ｈ１０００は記録ヘッドカートリッジであり、インクを吐出するための複数の記録素子（ノズル）が図の搬送方向と平行な方向に所定のピッチで配列されてなる記録ヘッドを有している。記録ヘッドカートリッジＨ１０００は、図面に直交する方向に移動走査しながら各記録素子よりインクを吐出し、搬送ローラＭ３０６０と排出ローラＭ３１００との間に位置している記録媒体Ｐの領域に対して、画像を形成する。このような記録ヘッドカートリッジＨ１０００による記録走査と、３つのローラ対による記録媒体Ｐの搬送動作とを交互に繰り返すことにより、記録媒体Ｐに順次画像が形成されていく。
【０００９】
図９は、図８の状態からさらに記録が進み、記録媒体Ｐの後端部近傍に対して記録を行っている状態を示した図である。記録媒体Ｐは、搬送ローラＭ３０６０から既に外れており、排出ローラＭ３１００，Ｍ３１１０回転のみによって搬送されている。
【００１０】
一般に、搬送ローラＭ３０６０と排出ローラＭ３１００，Ｍ３１１０とでは、その主な役割の違いから、ローラ径や搬送精度に若干の差が生じていることが多い。搬送ローラＭ３０６０については、記録走査毎に、記録媒体を記録ヘッドに対する適切な位置に位置決めすることが主な役割である。よって、充分に大きいローラ径を有し、所望の精度で搬送動作を行うことができる。これに対し、排出ローラＭ３１００，Ｍ３１１０は、記録後の記録媒体を確実に排出することが主な役割となっている。よって、搬送ローラＭ３０６０に比べて、ローラ径も小さく、記録媒体の搬送精度も劣っていることが多い。従って、記録媒体Ｐの後端部が搬送ローラＭ３０６０を外れた時点から、記録媒体Ｐの最後端部の記録が終了するまでの領域に対しては、それ以前の領域に比べて、搬送精度が低下している状況が生じてしまうのである。この際、搬送量が不十分な場合には隣接する記録走査間の画像形成部分が重なり合うことで所謂「黒スジ」が、逆に搬送量が多すぎる場合には記録走査間の画像形成部分が離れてしまうことで所謂「白スジ」が確認されることがある。記録する画像によっては、これは無視できない画像弊害となる。
【００１１】
さらに、記録媒体の両端部が保持されていないことによる画像弊害も発生する。記録媒体Ｐの後端部が搬送ローラＭ３０６０を外れると、記録ヘッドと記録媒体との距離（以下、紙間距離と称す）は少なからず変動し、その後も不安定な状態となる。記録ヘッドカートリッジＨ１０００は、前後のローラによって維持される所定の紙間距離に対応したタイミングでインクを吐出しながら記録走査を行う。そして、適切なタイミングで吐出されたインクが記録媒体上でドットとなり、適切なピッチで配列されることによって画像が形成されている。よって、記録の最中に紙間距離が変化したり、記録幅内での紙間距離の変動が大きかったりすると、記録媒体におけるドットの位置も不安定になり、白スジや黒スジあるいはザラツキ感などの画像弊害が発生するのである。
【００１２】
このような紙間距離の問題は、記録媒体の後端部のみならず、先端部を記録する場合にも同様に発生する。
【００１３】
図１０は、記録媒体Ｐの先端部近傍に対して記録を行っている状態を示した図である。この状態では、記録媒体Ｐは上流側の搬送ローラＭ３０６０およびピンチローラＭ３０７０のみによって保持され、搬送されている。すなわち、先端部の記録が行われる場合、記録媒体Ｐの搬送には排出ローラＭ３１００，Ｍ３１１０は関与していない。図９で説明した後端部近傍を記録する状態に比べれば、高い精度で搬送がなされていると言い得る。しかし、記録媒体Ｐの先端が保持されていないことによる紙間距離の問題は、図９の状態と同様に生じる。すなわち、記録媒体におけるドットの位置精度は、記録媒体中央部の記録（図８の状態）に比べて不安定となり、白スジや黒スジあるいはザラツキ感などの画質低下が発生する。
【００１４】
以上のような記録媒体の先端部および後端部の記録時に生じ得る画像弊害に対し、特に画像品位を重視するシリアル型の記録装置においては、次のような対処がなされている（例えば特許文献１）。すなわち、先後端部の記録に際しては、記録ヘッドの記録幅（すなわち、実際にインクを吐出する記録素子の配列のうち記録に関与させる範囲）を制限（縮小）し、これに合わせて記録媒体の搬送量も低減する方法である。記録ヘッドの記録幅を狭くすることにより、記録幅内での紙間距離の変動を抑えることができる。この場合、特に後述するマルチパス記録を実施すれば、ザラツキに対しても効果が発揮される。また、搬送精度が低下した状況においても、記録媒体の搬送量を小さくすることにより、その搬送誤差を小さくすることができる。さらに、隣接する記録走査間の画像形成部分のつなぎ部分のピッチが細かくなることとも相俟って、白スジや黒スジが目立たなくなるという効果もある。さらに、記録媒体上の同一エリアについて複数回数の記録走査を行うことで画像を形成する所謂マルチパス記録を併用すれば一層効果的であり、またザラツキに対しての効果も期待される。
【００１５】
また、記録素子の配列密度が記録密度よりも低い形態の記録ヘッドを用い、複数の記録走査で副走査方向の記録密度を補間しながら画像を完成させていくインターレース記録方法を採用するインクジェット記録装置においても、同様な対処が行われる。すなわち、先後端部でのみ実際にインクを吐出する記録素子の数を抑制し、これに合わせて記録媒体の搬送量を調整するのである（例えば特許文献２）。
【００１６】
（マルチパス記録方法について）
次に、マルチパス記録方法について説明する。
【００１７】
図１１は、マルチパス記録方法を説明するために、記録ヘッドおよび記録パターンを模式的に示したものである。記録ヘッドＨ１００１には、実際には多数の記録素子（ノズル）を有するが、ここでは簡単のため１６個のノズルを有するものとして説明する。ノズルは、図のように第１〜第４の４つのノズル群に分割され、各ノズル群には４つずつのノズルが含まれている。マスクＰ０００２は、第１〜第４のマスクパターンＰ０００２（ａ）〜Ｐ０００２（ｄ）で構成される。第１〜第４のマスクパターンＰ０００２（ａ）〜Ｐ０００２（ｄ）は、それぞれ、第１〜第４のノズル群が記録可能なエリアを定義している。マスクパターンにおける黒エリアは記録許容エリアを示し、白エリアは非記録エリアを示している。第１〜第４のマスクパターンＰ０００２（ａ）〜Ｐ０００２（ｄ）は互いに補完の関係にあり、これら４つのマスクパターンを重ね合わせると４×４のエリアに対応した領域の記録が完成される構成となっている。
【００１８】
ここで、マスクパターンでは次のように記録許容率が定められる。記録許容率とは、マスクパターンを構成する記録許容エリア（黒エリア）と非記録許容エリア（白エリア）との合計数に対する記録許容エリアの数の割合を百分率で表したものである。すなわち、マスクパターンの記録許容エリアをｍ個、非記録許容エリアをｎ個とすると、そのマスクパターンの記録許容率（％）は、ｍ／（ｍ＋ｎ）×１００となる。
【００１９】
図１１のＰ０００３〜Ｐ０００６で示した各パターンは、記録走査を重ねていくことによって画像が完成されていく様子を示したものである。各記録走査が終了するたびに、記録媒体は図の矢印の方向にノズル群の幅分（この図では４ノズル分）ずつ搬送される。よって、記録媒体の同一領域（各ノズル群の幅に対応する領域）は４回の記録走査によって初めて画像が完成される構成となっている。以上のように、記録媒体の各同一領域が複数回の走査で複数のノズル群によって形成されることは、ノズル特有のばらつきや記録媒体の搬送精度のばらつき等を低減させる効果がある。また、マスクパターンの配列に工夫を施すことによって、他の様々な画像問題や記録装置の信頼性の問題などに対しても、対応策とすることが可能となる。
【００２０】
例えば、近年のように、多数の小液滴を高周波数で吐出するようなインクジェット記録ヘッドにおいては、記録ヘッドの端部に位置するノズルからのインクの吐出方向がノズル配列の内側に向かって偏向してしまう傾向がある。この場合、ノズル列の端部に位置するノズルによって形成すべきドットは、正規の位置からずれたノズル配列の内側の位置に形成されてしまうので、記録ヘッドの記録幅のピッチで白スジ（以下、「端スジ」と称する。）が生じてしまうことが確認されている。このような状況であっても、上述したマスクパターンの配列を工夫することによって、端スジを目立たなくすることができる（例えば、特許文献３参照）。
【００２１】
図１２は、上記端スジを低減するために採用されるマスクの一例を示した図である。図１２のマスクの黒エリアは図１１のマスクの黒エリアと同じ役割を担う箇所であり、記録を許容するエリアを示す。図１２のマスクの白エリアは図１１のマスクパターンの白エリアと同じ役割を担う箇所であり、記録を許容しないエリアを示す。ここでは１２８０個のノズルを有する記録ヘッドを用い、４パスのマルチパス記録を実施する場合を例に示している。図１１の場合と同様に、全１２８０個のノズルは３２０個ずつの４つのノズル群に分割されているが、ここではノズルの位置によって記録許容率（マスクパターンを構成する黒エリアと白エリアの合計数に対する黒エリアの数の割合）が異なっているのがわかる。
【００２２】
ここで、第１ノズル群および第４ノズル群のそれぞれに対応するマスクパターンの記録許容率はＮ％、第２ノズル群におよび第３ノズル群のそれぞれに対応するマスクパターンの記録許容率はＭ（但し、Ｍ＞Ｎ）％となっている。そして、これら４つのノズル群に対応したマスクパターンの記録許容率の合計（Ｎ＋Ｍ＋Ｍ＋Ｎ）は１００％となる。さらに各ノズル群また同一のノズル群の中でも領域によって記録許容率の分布に偏りを持たせ、中央部の記録許容率を比較的高く設定する一方、端部に行くに従って記録許容率は徐々に低くなるようなマスク（グラデーションマスクと呼ばれる）としている。
【００２３】
上述した吐出方向の偏向は、より小液滴のインクが、より高速に、より高密度に吐出されるほど顕著に現れることが確認されている。よって、端部の記録許容率を中央部に比べて低く設定することは、端部に位置するノズルから吐出されるインクの偏向傾向を和らげることができる。また、多少偏向傾向にあったとしても、形成されるドットの数自体が低減されているので、着弾位置ずれによる端スジを目立たなくする効果も得られる。
【００２４】
写真画質を重視するインクジェット記録装置においては、液滴の少量化、記録素子の高密度化、駆動の高周波数化は画質品位と記録速度を両立させる上で、重要な要素である。よって、図５で示したようなマスクパターンは、写真画質を重視する近年のインクジェット記録装置においては、一般的に有用される構成であった。
【００２５】
【特許文献１】特開２００４−９８６６８号公報
【特許文献２】特開平１１−２９１５０６号公報
【特許文献３】特開２００２−０９６４５５号公報
【特許文献４】特開２００２−１４４６３７号公報
【特許文献５】特開平６−３３０６１６号公報
【特許文献６】特開２００２−１４４５２２号公報
【発明の開示】
【発明が解決しようとする課題】
【００２６】
先後端部の記録に際しては、ノズル配列のうち記録に関与させる範囲（ノズル使用範囲）を制限し、これに合わせて記録媒体の搬送量も低減することで、記録品位を向上できることについては上述した。そして、マルチパス記録を併用すれば一層効果的であり、またザラツキに対しての効果も期待される。しかし、記録媒体中央部の記録と先後端部の記録とでノズル使用範囲を変更し、かつそれぞれの範囲でマルチパス記録を実現するにあたっては、ノズル使用範囲の大きさが異なるので、適用するマスクを切り替えなければならない。このような切り替えを行う構成は、特許文献４にも開示されている。
【００２７】
ここで、記録媒体の中央部の記録に適用されるマスク（第１マスク）と、先後端部の記録に適用されるマスク（第２マスク）とを個別に用意しておくことが考えられる。しかしマスクは、その構成パターンを規定するデータがＲＯＭ等のメモリに固定的に記憶され、記録に際して適用されるのが一般的である。このため、第１マスクと第２マスクとを個別に用意することは、メモリ容量の増大につながる。特に最近では、記録に用いる記録媒体の種類や、ユーザが望む記録品位を指定するモードなどに応じて、マルチパス記録時のパス数などを変更可能とした記録装置もあり、これに応じて複数のマスクが用意される。その上に第１マスクと第２マスクとの切り替えを考慮することはメモリ容量の一層の増大につながってしまう。
【００２８】
従って、例えばマスクとしては第１マスクのみを用意しておき、第２マスクについては第１マスクに基いて生成してこれを利用することが考えられる。そしてこの場合、記録媒体の中央部の記録に使用されるノズル範囲に対応して用意された第１マスクから、先後端部の記録に使用されるノズル範囲に対応してデータを抽出して第２マスクを生成することが考えられる。
【００２９】
しかし本発明者らは、そのような抽出が適切に行なわれなければ、縮小された使用範囲において分割されたノズル群のそれぞれに対応したマスクパターンの繋ぎ目で記録許容率の大きな段差が生じてしまい、これに起因した画像品位の低下が生じることを見出した。
【００３０】
本発明は、記録素子使用範囲の大きさを異ならせ、その大きさに応じて異なるマスクを適用したマルチパス記録を行うことが可能な記録装置において、１つのマスクから他のマスクを抽出して適用する場合でも、記録品位を維持できるようにすることを目的とする。
【課題を解決するための手段】
【００３１】
そのために、本発明は、記録素子の配列を有する記録ヘッドを前記配列の方向とは異なる方向に記録媒体に対して走査させながら記録を行う記録走査と、該記録走査の方向とは交差する方向への前記記録媒体の搬送とを行うことにより画像を記録するとともに、同一画像領域に対しては相補的な関係にある画素配列に従った複数回の前記記録走査にて記録を実行可能な記録装置であって、
前記記録素子の配列から比較的広い第１範囲に含まれる記録素子群を使用した第１記録と、前記記録素子の配列から比較的狭い第２範囲に含まれる記録素子群を使用した第２記録とを設定可能な設定手段と、
前記第１記録を実行する際に前記画素配列を規定するべく適用される第１マスクであって、当該規定を行うため前記配列の方向における記録許容率の分布が一様でない第１マスクを固定的に記憶する記憶手段と、
当該記憶された第１マスクから前記記録許容率のデータを抽出して、前記第２記録を実行する際の前記画素配列を規定するべく適用される第２マスクとする抽出手段と、
を具え、該抽出手段は、前記第２マスクの記録許容率が前記配列の方向に沿って単調に変化するように抽出を行うことを特徴とする。
【００３２】
また、本発明は、記録素子の配列を有する記録ヘッドを前記配列の方向とは異なる方向に記録媒体に対して走査させながら記録を行う記録走査と、該記録走査の方向とは交差する方向への前記記録媒体の搬送とを行うことにより画像を記録するとともに、同一画像領域に対しては相補的な関係にある画素配列に従った複数回の前記記録走査にて記録を実行可能な記録方法であって、
前記記録素子の配列から比較的広い第１範囲に含まれる記録素子群を使用した第１記録と、前記記録素子の配列から比較的狭い第２範囲に含まれる記録素子群を使用した第２記録とを設定可能な設定工程と、
前記第１記録を実行する際に前記画素配列を規定するべく適用される第１マスクであって、当該規定を行うため前記配列の方向における記録許容率の分布が一様でない第１マスクを固定的に記憶する記憶手段から、当該記憶された前記第１マスクを読み出して前記第１記録に適用する工程と、
前記第１マスクから前記記録許容率のデータを抽出して、前記第２記録を実行する際の前記画素配列を規定するべく適用される第２マスクとする抽出工程と、
を具え、該抽出工程は、前記第２マスクの記録許容率が前記配列の方向に沿って単調に変化するように抽出を行うことを特徴とする。
【発明の効果】
【００３３】
本発明では、記録素子使用範囲の大きさを異ならせ、その大きさに応じて異なる第１および第２マスクを適用した第１および第２のマルチパス記録を行うことが可能な記録装置において、第１マスクから記録許容率データを抽出して第２マスクとする。この際、第２マスクの記録許容率が前記配列の方向に沿って単調に変化するように抽出を行うことで、第１マルチパス記録と同等の記録品位を維持した第２のマルチパス記録を実現できる。
【発明を実施するための最良の形態】
【００３４】
以下、図面を参照して本発明を詳細に説明する。
【００３５】
（１）装置構成
図１は本発明の一実施形態に係るインクジェット記録装置の全体構成を示す模式的斜視図である。記録時において、記録媒体Ｐは、搬送経路上に複数具えられたローラの１つである搬送ローラ１とこれに従動するピンチローラ２との間に挟まれ、搬送ローラ１の回転に応じてプラテン３上に案内、支持されながら記録走査の方向と交差するＡ方向に搬送される。この搬送ローラ１に対しては、ピンチローラ２が不図示のバネ等の押圧手段により弾性的に付勢されている。これらの搬送ローラ１およびピンチローラ２が上流側搬送手段（第１搬送手段）の構成要素をなす。
【００３６】
プラテン３は、インクジェット記録ヘッド形態の記録ヘッド４の吐出口が形成された面（吐出面）と対向する記録位置に設けられ、記録媒体Ｐの裏面を支持することで、記録媒体Ｐの表面と吐出面との距離を一定ないし所定の距離に維持する。
【００３７】
プラテン３上に搬送されて記録が行われた記録媒体Ｐはその後、回転する排出ローラ１２とこれに従動する回転体である拍車１３との間に挟まれてＡ方向に搬送され、プラテン３上から排出トレイ１５上に排出される。これらの排出ローラ１２および拍車１３が下流側搬送手段（第２搬送手段）の構成要素をなす。なお、図１では排出ローラ１２および拍車１３の対が１つのみ示されているが、図８〜図１０に示したように２対設けられていてもよい。
【００３８】
１４は記録媒体の一方の側部側に配置され、記録媒体搬送時の搬送基準をなすとともに、記録媒体Ｐが上方すなわち記録ヘッド４の吐出面方向に浮き上がることを規制する目的に兼用された部材である。
【００３９】
記録ヘッド４は、その吐出面をプラテン３ないし記録媒体Ｐに対向させた姿勢で、キャリッジ７に着脱可能に搭載されている。キャリッジ７は、駆動手段であるモータにより２本のガイドレール５，６に沿って往復移動され、その移動の過程で記録ヘッド４にインク吐出動作を行わせることができる。このキャリッジ移動方向は記録媒体搬送方向（矢印Ａ方向）と直交する方向であり、主走査方向と呼ばれる。これに対し、記録媒体搬送方向は副走査方向と呼ばれている。そして、キャリッジ７ないし記録ヘッド４の主走査（記録走査）と、記録媒体の搬送（副走査）とを交互に繰り返すことにより、記録媒体Ｐに対する記録が行われる。
【００４０】
ここで、記録ヘッド４としては、インク吐出のために利用されるエネルギとして熱エネルギを発生する手段（例えば発熱抵抗素子）を備え、その熱エネルギによりインクの状態変化（膜沸騰）を生起させる方式のノズルを用いたものとすることができる。また、エネルギ発生手段としてピエゾ素子などの機械的エネルギを発生する素子を備え、その機械的エネルギによりインクを吐出させる方式を用いたものとすることもできる。
【００４１】
ノズルは、主走査方向と異なる方向、例えば副走査方向に複数配列される。かかるヘッド構成では、記録媒体上の同一の領域に対する記録を１回の主走査によって完成させる、いわゆる１パス記録を実行することが可能である。しかしノズルのばらつきなどを低減し、記録品位を向上するために、記録媒体上の同一の走査領域に対する記録を複数回の主走査によって完成させる、いわゆるマルチパス記録も実行可能である。マルチパス記録時のパス数は記録モードその他の条件に応じて適宜定めることができる。
【００４２】
記録ヘッド４に対しては、使用するインクの色に対応して、複数の独立したインクタンクが着脱可能に装着される。あるいは、装置の固定部位に設けたインクタンクから液体供給チューブを介してインクが供給されるものでもよい。
【００４３】
記録ヘッド４の主走査方向の移動可能範囲内で、かつ、記録媒体Ｐないしはプラテン３の側端部外の領域である非記録領域には、記録ヘッド４の吐出面と対面可能に回復ユニット１１が配置されている。回復ユニット１１は、次に示すような公知の構成を備える。すなわち、記録ヘッド４の吐出面をキャッピングするキャップ部、吐出面をキャッピングした状態で記録ヘッド４から強制的にインクを吸引する吸引機構、およびインク吐出面の汚れを払拭するクリーニングブレード等である。
【００４４】
図２は、本実施形態の記録装置でＡ４サイズ（２９４ｍｍ×２１０ｍｍ）の記録媒体に余白無し記録を実行する際の、先端部、中央部および後端部の領域をそれぞれ示した図である。すなわち、図８〜図１０を用いて説明したのと同様、搬送ローラ１および排出ローラ１２の双方にて記録媒体が保持された状態で記録を行うことができる領域を中央部としている。また、記録媒体の先端が排出ローラに支持される以前に記録される領域を先端部、さらに記録媒体の後端が搬送ローラから外れた後に記録される領域を後端部としている。
【００４５】
ここで、記録媒体が搬送ローラ１によって支持され、排出ローラ１２によっては支持されない状態での搬送動作を第１搬送動作とする。また、搬送ローラ１および排出ローラ１２の双方によって支持される状態での搬送動作を第２搬送動作とする。さらに、搬送ローラ１によって支持されず、排出ローラ１２によって支持されている状態での搬送動作を第３搬送動作とする。このように搬送動作を定義した状態でより厳密に考慮すると、記録領域は次の５つの領域に分割できる。すなわち、
記録走査間の第１搬送動作のみの介在によって画像が完成される領域Ａ、
記録走査間の第１搬送動作と第２搬送動作の介在によって画像が完成される領域Ｂ、
記録走査間の第２搬送動作のみの介在によって画像が完成される領域Ｃ、
記録走査間の第２搬送動作と第３搬送動作の介在によって画像が完成される領域Ｄ、および
記録走査間の第３搬送動作のみの介在によって画像が完成される領域Ｅ、
である。しかし以下に説明する実施形態においては、上記５つの領域について、領域Ａと領域Ｂとを先端部、領域Ｃを中央部、領域Ｄと領域Ｅとを後端部と判断するようにする。そして、中央部に対しては、これに対して用意されたグラデーションマスク形態の第１マスクを適用する一方、先端部および後端部に対しては、第１マスクから第２マスクを抽出して適用するものとする。
【００４６】
また、本実施形態では、副走査方向（記録媒体搬送方向）に配列される記録素子群（ノズル群）のうち、より下流側（排出ローラ側）に位置する一部分の領域に含まれるノズルによって、先端部および後端部への記録を行っている。従って、先端部として扱われる領域よりも後端部として扱われる領域のほうが若干広くなっている。
【００４７】
本実施形態の記録装置は、例えば１０色のインクによって画像を形成する。１０色とは例えばシアン（Ｃ）、ライトシアン（Ｌｃ）、マゼンタ（Ｍ）、ライトマゼンタ（Ｌｍ）、イエロー（Ｙ）、第１ブラック（Ｋ１）、第２ブラック（Ｋ２）、レッド（Ｒ）、グリーン（Ｇ）およびグレー（Ｇｒａｙ）である。ここで、第１ブラックＫ１および第２ブラックＫ２のインクとは、それぞれ、光沢紙に対して光沢感の高い記録を実現するフォトブラックインクおよび光沢感のないマット紙に適したマットブラックインクとすることができる。
【００４８】
図３は、本実施形態で採用した記録ヘッド４をノズル形成面側から見た状態を模式的に示している。本例の記録ヘッド４は上記１０色のうち５色ずつのノズル列を形成した２つの記録素子基板Ｈ３７００および記録素子基板Ｈ３７０１を有している。Ｈ２７００〜Ｈ３６００は、それぞれ異なる１０色のインクに対応するノズル列である。
【００４９】
一方の記録素子基板Ｈ３７００には、グレー、ライトシアン、第１ブラック、第２ブラックおよびライトマゼンタのインクが供給されて吐出動作を行う各ノズル列Ｈ３２００、Ｈ３３００、Ｈ３４００、Ｈ３５００およびＨ３６００が形成されている。他方の記録素子基板Ｈ３７０１には、シアン、レッド、グリーン、マゼンタおよびイエローのインクが供給されて吐出動作を行うノズル列Ｈ２７００、Ｈ２８００、Ｈ２９００、Ｈ３０００およびＨ３１００が形成されている。各ノズル列は、例えば記録媒体の搬送方向に１２００ｄｐｉ（ｄｏｔ／ｉｎｃｈ；参考値）の間隔で並ぶ１２８０個のノズルによって構成される。
【００５０】
図２に示した記録媒体中央部の記録（本実施形態における第１記録）に際しては、比較的広い第１範囲として、各ノズル列の全範囲Ｗすなわち１３８０個のノズルが使用されるように設定可能である。これに対し、先後端部記録（本実施形態における第２記録）に際しては、各列の使用ノズル範囲を縮小し、比較的狭い第２範囲として、例えば記録媒体搬送方向下流側（排出ローラ側）に位置する２５６個のノズルを含む領域Ｒを用いるように設定可能である。すなわち、１回の走査における記録幅を小さくすることで画像の劣化を防ぐようにしている。
【００５１】
図４は、本実施形態に係るインクジェット記録装置の制御系の主要部の構成例を示す。ここで、１００は本実施形態に係るインクジェット記録装置の各駆動部の制御を行う制御部である。制御部１００は、ＣＰＵ１０１、ＲＯＭ１０２、ＥＥＰＲＯＭ１０３およびＲＡＭ１０４を備える。ＣＰＵ１０１は、後述する処理手順を含め、記録動作等に関わる処理のための種々の演算および判別を行うほか、印刷データなどについての処理を行う。ＲＯＭ１０２は、ＣＰＵ１０１が実行する処理手順に対応したプログラムや、その他の固定データなどを格納する。特に本実施形態のＲＯＭ１０２には、記録媒体の中央部の記録に適用されるマスク（以下、第１マスク）が記憶される。ＥＥＰＲＯＭ１０３は不揮発性メモリであり、所定の情報を記録装置の電源オフ時にも保持しておくために用いられる。ＲＡＭ１０４は、外部から供給された印刷データや、これを装置構成にあわせて展開した記録データを一時的に格納するほか、ＣＰＵ１０１による演算処理のワークエリアとして機能する。
【００５２】
インターフェース（Ｉ／Ｆ）１０５は、外部のホスト装置１０００と接続する機能を有し、ホスト装置１０００との間で所定のプロトコルに基づいて双方向の通信を行う。なお、ホスト装置１０００はコンピュータその他の公知の形態を有し、本実施形態の記録装置に印刷を行わせる印刷データの供給源をなすとともに、その印刷動作を行わせるためのプログラムであるプリンタドライバがインストールされている。すなわちプリンタドライバからは、印刷データや、これを印刷する記録媒体の種別情報といった印刷設定情報、および記録装置の動作制御を行わせる制御コマンドが送られるようになっている。
【００５３】
リニアエンコーダ１０６は記録ヘッド４の主走査方向上の位置を検出するものである。シートセンサ１０７は記録媒体搬送経路上の適宜の位置に設けられる。このシートセンサ１０７を用いて記録媒体の先後端を検出することにより、記録媒体の搬送（副走査）位置を知ることができる。制御部１００にはモータドライバ１０８，１１２とヘッド駆動回路１０９とが接続されている。モータドライバ１０８は、制御部１００の制御のもとで、記録媒体の搬送駆動源をなす搬送モータ１１０の駆動を行う。搬送モータ１１０の駆動力はギヤ等の伝動機構を介して搬送ローラ１および排出ローラ２に伝達される。モータドライバ１１２は、キャリッジ７の移動の駆動源をなすキャリッジモータ１１４の駆動を行う。キャリッジモータ１１４の駆動力は、タイミングベルト等の伝動機構を介してキャリッジ７に伝達される。ヘッド駆動回路１０９は、制御部１００の制御のもとで、記録ヘッド４の駆動を行い、吐出動作を行わせる。
【００５４】
（２）第２マスクの生成
本実施形態では、全１２８０ノズルの中央部の記録許容率が比較的高く、端部に行くに従って記録許容率が徐々に低くなるようなグラデーションマスク形態のマスクを第１マスクとしている。そして、このように記録媒体の中央部の記録に対するノズル使用範囲Ｗに対応して用意された第１マスクから、先後端部の記録に使用される２５６個のノズルを含む範囲Ｒに対応してデータを抽出して第２マスクを生成する。そのため、先後端部への記録に際し、第１マスクからのデータ抽出を適切に行なわない第２マスクが適用された場合、ノズル使用範囲Ｒにおいて分割された各ノズル群に対応したマスクパターンの繋ぎ目で、記録許容率の大きな段差が生じてしまうことになる。これに起因して画像品位の低下が生じることを説明する。
【００５５】
図６は、上記記録ヘッドを用い、４パスのマルチパス記録を実施する場合において、記録媒体の中央部の記録に適用される第１マスクと、この第１マスクからの第２マスクの生成態様の例を示す。中央部の記録では、範囲Ｗの全１２８０個のノズルは３２０個ずつの第１〜第４ノズル群に分割され、当該分割領域毎に、既に用意された図６の左側部分に示すような第１マスクが適用される。一方、後端部の記録では、範囲Ｒの２５６個のノズルは６４個ずつの第１〜第４ノズル群に分割され、第１マスクからデータ抽出を行って、図の右側部分に示すような第２マスクが生成される。
【００５６】
この際、第１マスクの第１〜第４ノズル群に対応した各マスクパターンから、それぞれ媒体搬送方向上流側の端部に位置するノズルより連続する６４ノズル分のデータを抽出し、これを第２マスクの第１〜第４ノズル群に対応したマスクパターンとする。このように生成された第２マスクを適用して範囲Ｒの２５６個のマルチパス（４パス）記録を行う場合、記録許容率の合計は１００％となる。
【００５７】
しかしながら、第１マスクは中央部の記録許容率が高く、端部に行くに従って記録許容率が徐々に低くなるような形態であるので、生成された第２マスクは、マスクパターンの繋ぎ目に記録許容率の大きな段差が生じたものとなってしまう。従って、記録許容率が高い、すなわちインクを多く吐出することになるノズル群と、記録許容率が低い、すなわちインク吐出の少ないノズル群とが隣接してしまうことになる。ここで、多数の微小インク滴を高周波数で吐出するような記録ヘッドにおいては、吐出が多いノズル群のうち、吐出が少ないノズル群と隣接した位置（つまり、吐出量が多いノズル群の端部）にあるノズルの吐出方向が配列範囲の内側に偏向してしまう。この場合、吐出方向が偏向してしまったノズルによって形成するドットは、正規の位置からずれた内側の位置に着弾するので、記録ヘッドの記録幅のピッチで、が確認されている。従って、吐出が多いノズル群の端部に位置するノズルによって形成すべきドットは、正規の位置からずれたノズル配列の内側の位置に形成されてしまうので、ノズル使用範囲Ｒによる記録幅のピッチで端スジが生じてしまうことになる。つまりは、画像弊害を防止すべくノズル使用範囲の縮小とマルチパス記録とを併用した効果が減殺されてしまうのである。
【００５８】
さらに、吐出が多いノズル群と少ないノズル群が隣接してしまう場合、記録媒体上に多量のインクが付着する部分と少量のインクが付着する部分とが隣接してしまことによる次のような問題も発生する。すなわち、特に付着したインクが乾きづらいような記録媒体上においては、多量のインクが付着した部分から少量のインクが付着した部分へ、インクが流動していってしまうことも確認されており、インクのにじみ等による画像品位の低下も生じることがある。
【００５９】
そこで本実施形態では、記録媒体の中央部に比べてノズル使用範囲が大幅に縮小される先後端部においても、上述のような問題が生じないよう、適切に第２マスクを生成する構成を採用する。
【００６０】
図６は、本実施形態における第２マスクの生成態様の説明図である。ここで、１２８０個のノズルは、記録媒体搬送方向の最上流側に位置するものから順に、０番目〜１２７９番目のノズルとする。そしてこの場合、全ノズルの数（１２８０個）をパス数（４）で分割した各ノズル群（分割領域）は、記録媒体搬送方向に連続する３２０個のノズルを含んだものとなる。仮に１６個のノズルを１セットと定義すると、各分割ノズル群当たり２０セットが並んでいることになる。
【００６１】
ここで、記録媒体の中央部の記録に使用する各分割ノズル群に含まれるノズル数をｍ個（図６の例ではｍ＝３２０）、先後端部の記録に使用する各分割ノズル群に含まれるノズル数をｎ個（図６の例ではｎ＝６４個）、ｍをｎで除した値の整数部をｋとする。前述したように、記録媒体の先後端部では、記録媒体の中央部に比べ使用ノズル範囲が大きく縮小される（使用ノズル数が大幅に低減される）ため、ｍ＞ｎとなり、ｋは１以上の整数（図６の例ではｋ＝５）となる。
【００６２】
そして本実施形態では、記録媒体の中央部の記録に使用する各分割ノズル群（分割領域）と、先後端部の記録に使用する各分割ノズル群（分割領域）とを対応させ、前者に対応した第１マスクの部分から分散して後者の記録許容率のデータを抽出する。つまり、第１マスクに対応して各ノズルの記録許容率を規定するマスクデータＭＤ１を固定的に記憶した記憶手段であるメモリ（ＲＯＭ１０４）から、次のようにデータを抽出して、先後端部記録時に適用される第２マスクを生成する。すなわち、１セット当たりのノズル数をＬ（図８の例ではＬ＝１６）として、０、８０、１６０、３２０、・・・、１２００番目のノズルより連続したＬ個のノズルに対応したマスクデータを抽出する。このように抽出したデータを、格納手段であるＲＡＭ１０４に一時的に格納することで、図６の右側部分に示すような、第２マスクＭＤ２が生成される。
【００６３】
図８から明らかなように、この方法で生成された第２マスクは、図６の第２マスクとは異なり、記録許容率のデータが分散して抽出されているので、マルチパス記録における各ノズル群間の繋ぎ目の記録許容率の段差が小さくなっている。従って、この第２マスクを適用することで、記録媒体の先後端部の記録時において画像品位の低下が抑制され、記録媒体の中央部と同程度の品位の画像を出力することが可能となる。
【００６４】
また本実施形態は、第２マスクをＲＯＭ１０２に固定的に用意しておくのではなく、必要に応じて第１マスクからこれを生成し、ＲＡＭ１０４に展開して用いるようにしている。従って、予めマスクデータを用意しておくためのメモリの容量は少なくて済む。これは特に、記録に用いる記録媒体の種類やユーザが望む記録品位を指定するモードなどに応じて、マルチパス記録時のパス数などを変更可能とし、複数のマスクが用意される構成において、さらに第１および第２マスクの双方を用意する必要がなく、有利である。
【００６５】
なお、第２マスクは、予め生成してＲＡＭ等に展開しておくものとするほか、先後端部の記録にあたって第１マスクからデータ抽出を行いながら適用されるものでもよい。この場合は、例えば、記録記録に先立ってＲＯＭ１０２からの第１マスクのデータの読み出し開始位置Ｓ（Ｓ＝０、８０、１６０、３２０、・・・、１２００）を設定しておくようにすればよい。これによれば、生成した第２マスクを展開する領域も不要となり、ＲＡＭ１０４の小容量化に資することができる。
【００６６】
図７は、本実施形態の記録装置が実行する記録処理手順の一例を示す。  
本手順では、まず先後端部に余白を残さない記録を行うモードか否かを認識する（ステップＳ１）。これは、例えば、ホスト装置１０００のモニタに表示されるＵＩ画面に対してユーザが選択したモード情報を、ホスト装置１０００が通知することで行うことができる。
【００６７】
次に、認識したモードに応じて、記録に使用するノズル領域の設定と、搬送量とを設定する（ステップＳ３）。すなわち、余白無し記録を行うモードであれば、記録媒体先端部および後端部の記録に使用するノズル使用範囲Ｒについても設定が行なわれるとともに、これに見合った量の搬送動作が行われるような設定が行われる。
【００６８】
次に、記録のデータ展開を行うとともに、記録時に適用されるマスクについての設定を行う（ステップＳ５）。すなわち、記録媒体中央部には第１マスクが適用されるように設定するとともに、先後端部に対しては上述した第２マスクの生成または第１マスクからの読み出し位置データの生成を行い、先後端部には第１マスクが適用されるように設定する。そして、先端部、中央部および後端部への記録動作を順次実行する（ステップＳ７、Ｓ９およびＳ１１）。
【００６９】
（その他）
なお、上述した実施形態では、マルチパス記録時のパス数が４、記録素子（ノズル）数が１２８０であり、記録媒体の中央部では全１２８０ノズル、先後端部では２５６ノズルを用いるようにした例について説明した。しかしこれらの数値はあくまでも例示であって、より多いパス数あるいは少ないパス数のマルチパス記録に対しても、また、より多いノズル数あるいは少ないノズル数の記録ヘッドが用いられる場合でも、本発明は有効に適用できる。また、記録媒体の先後端部におけるノズル使用範囲が記録媒体の中央部におけるノズル使用範囲よりも縮小されるものであれば、本発明は有効に適用できる。
【００７０】
また、上述した実施形態においては、余白無し記録を実現する際の記録方法として説明してきたが、本発明は余白無し記録に限定されるものではない。また、余白無し記録が実現されるのは記録媒体先端部および後端部のいずれか一方であってもよい。さらに、先端部と後端部とで、位置や大きさの異なる範囲が使用されるようにしたり、異なる第２マスクが抽出ないしは生成されるようにしてもよい。
【００７１】
加えて、上記実施形態ではノズル使用範囲を縮小する例として先後端部に余白無し記録を行うモードについて説明した。しかし本発明は、例えば、特に高品位の記録が求められている場合に、中央部においてもノズル使用範囲を小さくすることで搬送誤差を小さくするモードを有する装置に対しても適用可能である。すなわち、大きさの異なる少なくとも２つのノズル使用範囲があり、小さい方のノズル使用範囲にてマルチパス記録を行う際、大きい方のノズル使用範囲について用意されたマスク（第１マスク）からデータを抽出した第２マスクが適用されるものであればよい。そして、使用範囲の大きさ、位置、縮小割合や、それらの種類は適宜定め得るものである。
【００７２】
また、上述した実施形態では、データ抽出ないし読み出しの１セット分のノズル数を１６個としたが、この数についても限定されるものではなく、記録装置の仕様に対応できる範囲で変更することが可能である。さらに、上述した実施形態では、第１マスクから規則的にマスクデータを抽出するものとしたが、図６に示したような問題が生じない限り、ランダムに抽出することも可能であり、また分割ノズル群から抽出するセット数についても適宜定め得るものである。
【００７３】
さらに、用いるインクの色調（色や濃度など）の数、インクの種類、適用されるマスクパターンの種類なども、あくまでも例示である。例えば、本発明で適用可能なマスクの形態（記録許容エリアの配列形態）は、上述した実施形態で示した配列に限定されるものではない。本発明は、記録ヘッドのノズル位置に対する記録許容率の分布がノズルの配列の方向に沿って一様でない構成のマスクであれば、有効に適用できる。すなわち、端部のノズルと端部以外のノズルとの記録許容率が所定の相関関係を持ってさえいれば、マスクパターン内の記録画素の配列がどのような形態であっても、本発明の効果を発揮することができる。例えば、上述したグラデーションマスクのようなパターンが周期的に繰り返されるような配列であってもよい。また、特許文献５に開示されているような、ランダム性を持たせた配列であってもよいし、特許文献６に記載されているような、所定の分散性を持ったドット配置となるようなマスクパターンが適用される場合にも本発明は有効である。
【００７４】
さらに加えて、上記実施形態では、インクを滴として吐出するインクジェット記録ヘッドを用いる記録方法について説明したが、本発明の効果はこのような記録方法に限定されるものではない。ノズルに限らず、複数の記録素子が配列された記録ヘッドが用いられる構成であれば、如何なる記録方法にも本発明は適用可能である。
【図面の簡単な説明】
【００７５】
【図１】本発明の一実施形態に係るインクジェット記録装置の全体構成を示す模式的斜視図である。
【図２】記録媒体に余白無し記録を実行する際の、先端部、中央部および後端部の領域をそれぞれ示した図である。
【図３】実施形態で採用した記録ヘッド４をノズル形成面側から見た状態を模式的に示す正面図である。
【図４】実施形態に係るインクジェット記録装置の制御系の主要部の構成例を示すブロック図である。
【図５】第１マスクから第２マスクを生成する際、データ抽出を適切に行わなかった場合の不都合を説明するための説明図である。
【図６】実施形態に係るデータ抽出の態様を説明するための説明図である。
【図７】実施形態の記録装置が実行する記録処理手順の一例を示すフローチャートである。
【図８】記録媒体の中央部分を記録している状態の、記録ヘッド、記録媒体および当該記録媒体を搬送する搬送機構を示す模式的側面図である。
【図９】記録媒体後端部近傍において画像の乱れが生じることを説明するための模式的側面図である。
【図１０】記録媒体先端部近傍において画像の乱れが生じることを説明するための模式的側面図である。
【図１１】マルチパス記録方法を説明するための模式図である。
【図１２】マルチパス記録方法に適用されるマスクパターンの一例を示す説明図である。
【符号の説明】
【００７６】
１  搬送ローラ
４  記録ヘッド
１２  排出ローラ
１０１  ＣＰＵ
１０２  ＲＯＭ
１０４  ＲＡＭ
【図１】
2008296562.tif 000003
【図２】
2008296562.tif 000004
【図３】
2008296562.tif 000005
【図４】
2008296562.tif 000006
【図５】
2008296562.tif 000007
【図６】
2008296562.tif 000008
【図７】
2008296562.tif 000009
【図８】
2008296562.tif 000010
【図９】
2008296562.tif 000011
【図１０】
2008296562.tif 000012
【図１１】
2008296562.tif 000013
【図１２】
2008296562.tif 000014